(57)【要約】【課題】トレーにおいて、水を溜める機能と排水できる機能とを兼ね備えたトレーを提供する。【解決手段】板状をなしたトレー本体１と、このトレー本体１の表裏面の一方の平面２及び他方の平面の縁にそれぞれ外側に立ち上がる一方の立ち上がり部４及び他方の立ち上がり部５と、一方の平面２の前側縁１Ａ設けられ一方の平面２を上向きとしてトレー本体１が水平にあるとき最低の位置に形成される一方の平面２の最低部６と、この最低部６に連通して一方の立ち上がり部４に設けた排水部７と、一方の平面２に形成され最低部６に向けて次第に傾斜する一方の傾斜面２´と、最低部６の裏側に設けられた最高部と、他方の平面に形成され最高部に向けて次第に傾斜する他方の傾斜面とを有する。１枚のトレーで排水する、水を溜めるという２種類の使用方法が可能になる。【選択図】図１
2010220881.tif 000002
【特許請求の範囲】
【請求項１】
板状をなしたトレー本体と、このトレー本体の表裏面の一方の平面及び他方の平面の縁にそれぞれ外側に立ち上がる一方及び他方の立ち上がり部と、前記トレー本体の前記縁に設けられ前記一方の平面を上向きとして前記トレー本体が水平にあるとき最低の位置に形成される前記一方の平面の最低部と、この最低部に連通して前記一方の立ち上がり部に設けた排水部と、前記一方の平面に形成され前記最低部以外の他の縁部側より前記最低部に向けて傾斜する一方の傾斜面と、前記トレー本体の前記縁に設けられ前記他方の平面を上向きとして前記トレー本体が水平にあるとき最高の位置に形成される前記他方の平面の最高部と、前記他方の平面に形成され前記最高部以外の他の縁部側より前記最高部に向けて傾斜する他方の傾斜面とを有することを特徴とするトレー。
【請求項２】
前記一方の傾斜面は前記最低部以外の他の総ての縁部側より前記最低部に向けて傾斜し、前記他方の傾斜面は前記最高部以外の他の総ての縁部側より前記最高部に向けて傾斜していることを特徴とする請求項１記載のトレー。
【請求項３】
板状をなしたトレー本体と、このトレー本体の表裏面の一方の平面及び他方の平面の縁にそれぞれ外側に立ち上がる一方及び他方の立ち上がり部と、前記トレー本体の前記縁のうちの一方の縁部に設けられ前記一方の平面を上向きとして前記トレー本体が水平にあるとき最低の位置に形成される前記一方の平面の最低部と、この最低部に連通して前記一方の立ち上がり部に設けた排水部と、前記一方の平面に形成され前記一方の縁部以外の他の縁部側より前記最低部に向けて次第に低く傾斜する一方の傾斜面と、前記最低部の裏側に設けられ前記他方の平面を上向きとして前記トレー本体が水平にあるとき最高の位置に形成される前記他方の平面の最高部と、前記他方の平面に形成され前記一方の縁部以外の前記他の縁部側より前記最高部に向けて次第に高く傾斜する他方の傾斜面とを有することを特徴とするトレー。
【請求項４】
前記一方の平面の第一の傾斜角度と、前記他方の平面の第二の傾斜角度とが同じであることを特徴とする請求項３記載のトレー。
【請求項５】
前記最低部は前記一方の縁部の中央部に設けられ、この最低部に第一の一端を接続するようにほぼ放射状に谷線部が前記一方の平面に形成されると共に、前記一方の平面は前記谷線部に向けて次第に低く傾斜し、前記最高部は前記一方の縁部の中央部に設けられ、この最高部に第二の一端を接続するようにほぼ放射状に山線部が前記他方の平面に形成されると共に、前記他方の平面は前記山線部に向けて次第に高く傾斜していることを特徴とする請求項３又は４記載のトレー。
【請求項６】
前記トレー本体は平面が矩形であって、前記谷線部の第一の他端は前記最低部が対向する前記一方の平面の第一の隅角部に接続して、この谷線部の左右外側にそれぞれ配置される前記一方の平面の部位が前記谷線部側に次第に低く傾斜し、前記山線部の第二の他端は前記最高部が対向する前記他方の平面の第二の隅角部に接続して、この山線部の左右外側にそれぞれ配置される前記他方の平面の部位が前記山線部側に次第に高く傾斜したことを特徴とする請求項５記載のトレー。
【請求項７】
前記排水部の外側に、前記最低部に底部を接続した排水案内部を突設したことを特徴とする請求項１〜６のいずれか１項に記載のトレー。
【発明の詳細な説明】
【技術分野】
【０００１】
本発明は、食器用の水切りかごや食器類などを載置して使用するトレーに関するものである。
【背景技術】
【０００２】
従来、この種のものとしてトレーの面に軟質ウレタン塗料により千鳥状に突出した多数の突起を備え、高い摩擦力を確保できるトレーが知られている（例えば、特許文献１）。
【先行技術文献】
【特許文献】
【０００３】
【特許文献１】実開平７−３９６５３号公報
【発明の概要】
【発明が解決しようとする課題】
【０００４】
従来技術のトレーでは、水がトレーに溜まってしまうので、このような平らなトレーに例えば水切りかごを載置した場合には、水を溜まることができる。しかし、この溜まった水は後でシンクに排水する必要がある。一方、シンクのそばに水切りかごを載せたトレーを置いて直接トレーから水を溜めないようにして排水する場合もある。  このような場合、水を溜めるトレーと、排水できるトレーの２枚のトレーを必要とする。
【０００５】
解決しようとする問題点は、水切りかごや水洗した食器などを載せるトレーにおいて、水を溜める機能と排水できる機能とを兼ね備えたトレーを提供するものである。
【課題を解決するための手段】
【０００６】
請求項１の発明は、板状をなしたトレー本体と、このトレー本体の表裏面の一方の平面及び他方の平面の縁にそれぞれ外側に立ち上がる一方及び他方の立ち上がり部と、前記トレー本体の前記縁に設けられ前記一方の平面を上向きとして前記トレー本体が水平にあるとき最低の位置に形成される前記一方の平面の最低部と、この最低部に連通して前記一方の立ち上がり部に設けた排水部と、前記一方の平面に形成され前記最低部以外の他の縁部側より前記最低部に向けて傾斜する一方の傾斜面と、前記トレー本体の前記縁に設けられ前記他方の平面を上向きとして前記トレー本体が水平にあるとき最高の位置に形成される前記他方の平面の最高部と、前記他方の平面に形成され前記最高部以外の他の縁部側より前記最高部に向けて傾斜する他方の傾斜面とを有することを特徴とするトレーである。
【０００７】
請求項２の発明は、前記一方の傾斜面は前記最低部以外の他の総ての縁部側より前記最低部に向けて傾斜し、前記他方の傾斜面は前記最高部以外の他の総ての縁部側より前記最高部に向けて傾斜していることを特徴とする請求項１記載のトレーである。
【０００８】
請求項３の発明は、板状をなしたトレー本体と、このトレー本体の表裏面の一方の平面及び他方の平面の縁にそれぞれ外側に立ち上がる一方及び他方の立ち上がり部と、前記トレー本体の前記縁のうちの一方の縁部に設けられ前記一方の平面を上向きとして前記トレー本体が水平にあるとき最低の位置に形成される前記一方の平面の最低部と、この最低部に連通して前記一方の立ち上がり部に設けた排水部と、前記一方の平面に形成され前記一方の縁部以外の他の縁部側より前記最低部に向けて次第に低く傾斜する一方の傾斜面と、前記最低部の裏側に設けられ前記他方の平面を上向きとして前記トレー本体が水平にあるとき最高の位置に形成される前記他方の平面の最高部と、前記他方の平面に形成され前記一方の縁部以外の前記他の縁部側より前記最高部に向けて次第に高く傾斜する他方の傾斜面とを有することを特徴とするトレーである。
【０００９】
請求項４の発明は、前記一方の平面の第一の傾斜角度と、前記他方の平面の第二の傾斜角度とが同じであることを特徴とする請求項３記載のトレーである。
【００１０】
請求項５の発明は、前記最低部は前記一方の縁部の中央部に設けられ、この最低部に第一の一端を接続するようにほぼ放射状に谷線部が前記一方の平面に形成されると共に、前記一方の平面は前記谷線部に向けて次第に低く傾斜し、前記最高部は前記一方の縁部の中央部に設けられ、この最高部に第二の一端を接続するようにほぼ放射状に山線部が前記他方の平面に形成されると共に、前記他方の平面は前記山線部に向けて次第に高く傾斜していることを特徴とする請求項３又は４記載のトレーである。
【００１１】
請求項６の発明は、前記トレー本体は平面が矩形であって、前記谷線部の第一の他端は前記最低部が対向する前記一方の平面の第一の隅角部に接続して、この谷線部の左右外側にそれぞれ配置される前記一方の平面の部位が前記谷線部側に次第に低く傾斜し、前記山線部の第二の他端は前記最高部が対向する前記他方の平面の第二の隅角部に接続して、この山線部の左右外側にそれぞれ配置される前記他方の平面の部位が前記山線部側に次第に高く傾斜したことを特徴とする請求項５記載のトレーである。
【００１２】
請求項７の発明は、前記排水部の外側に、前記最低部に底部を接続した排水案内部を突設したことを特徴とする請求項１〜６のいずれか１項に記載のトレーである。
【発明の効果】
【００１３】
請求項１の発明によれば、一方の平面に水切りかごなどを載置すればトレーから排水でき、他方の平面に水切りかごなどを載置すればトレーに水を溜めることができる。
【００１４】
請求項２の発明によれば、総ての縁側から水を最低部に集めたり、或いは最高部から総ての縁側に水を流して溜めることができる。
【００１５】
請求項３の発明によれば、一方の平面に水切りかごなどを載置すればトレーから排水部を介して排水でき、他方の平面に水切りかごなどを載置すれば最低部裏側の最高部に水が溜めずにトレーに水を溜めることができる。
【００１６】
請求項４の発明によれば、トレー本体の厚みをいかなる箇所でも同じに形成することができる。
【００１７】
請求項５の発明によれば、一方の平面においては、最低部に向かっての傾斜の他に、谷線部へ向けての傾斜によっても水が両方の傾斜に沿って排水でき、さらに他方の平面においては、最高部からの傾斜の他に、山線部からの傾斜によっても流れることができる。
【００１８】
請求項６の発明によれば、一方の平面においては、最低部に向かっての傾斜の他に、左右から谷線部へ向けての水が両方の傾斜に沿って排水でき、さらに他方の平面においては、最高部からの傾斜の他に、左右から山線部からの傾斜によって流れることができる。
【００１９】
請求項７の発明によれば、排水の水切りを良好に行うことができる。
【図面の簡単な説明】
【００２０】
【図１】本発明の第１実施例を示す第一の平面を上向きにした状態の斜視図である。
【図２】同第二の平面を上向きにした状態の斜視図である。
【図３】同第一の平面を上向きにした状態の正面図である。
【図４】同第一の平面を上向きにした状態の断面図である。
【図５】同第二の平面を上向きにした状態のである。
【図６】本発明の第２実施例を示す斜視図である。
【発明を実施するための最良の形態】
【００２１】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００２２】
図１〜図５は実施例１を示しており、プラスチック製のトレー本体１は平面が矩形で薄板状をなしており、このトレー本体１の表面には平坦な一方の平面２が形成されると共に、トレー本体１の裏面には平坦な他方の平面３が形成される。これら一方の平面２、他方の平面３に水切りかごや水洗した食器類（いずれも図示せず）が選択的に載置されるものである。
【００２３】
そして、トレー本体１の縁は四方の縁部１Ａ，１Ｂ，１Ｃ，１Ｄによって形成され、これら縁部１Ａ，１Ｂ，１Ｃ，１Ｄの一方の平面２側、他方の平面３側にはそれぞれ外側に立ち上がる一方の立ち上がり部４及び他方の立ち上がり部５が設けられる。尚、後述するように他方の立ち上がり部５を調理台（図示せず）等に水平に置いたときに一方の立ち上がり部４の設置面（図示せず）からの高さＨはいずれの箇所も同じに形成され、同様に一方の立ち上がり部４を水平に置いたときに他方の立ち上がり部５の設置面（図示せず）からの高さＨも同じに形成されるようになっている。
【００２４】
一方の平面２の縁のうちの前側の縁１Ａの中央部の一部に位置して最低部６を設ける。そして、この最低部６に連通して排水部７を設ける。一方の平面２の排水側となるこの最低部６は一方の平面２を上向きとした状態で他方の立ち上がり部５を水平な調理台等に設置してトレー本体１を水平に置いたときに最も低い位置となる箇所である。この最低部６に連通して前側にある一方の立ち上がり部４Ａに外部へ自然に排水可能な排水部７を切り欠き部によって設ける。この排水部７は切り欠きでなく、実施例２で示すように立ち上がり部４Ａに形成した貫通孔状でもよい。さらに、一方の平面２には、最低部６以外の総ての縁部１Ａ，１Ｂ，１Ｃ，１Ｄ側より、すなわち最低部６以外の前側の縁部１Ａ、残りの他の縁部１Ｂ，１Ｃ，１Ｄ側より、最低部６に向けて次第に低く傾斜する一方の傾斜面２´が形成されている。
【００２５】
さらに、一方の平面２には流水案内用の谷線部８が形成されている。この谷線部８は谷状に低くなって平面を線状に配置されるものであって、実施例では左右一対に設けられるもので、その第一の一端８Ａを最低部６に接続すると共に、第一の他端８Ｂを最低部６が対向する第一の角隅部９に接続している。そして、左側縁部１Ｂ側から左側の谷線部８との間においては、最低部６に向けて次第に低く傾斜している。また右側縁部１Ｃから右側の谷線部８においても同様である。
【００２６】
そして、排水部７の外側には、最低部６に底部10Ａを接続した排水案内部10を横向きに突設している。
【００２７】
また、他方の平面３において前記最低部６の裏側に最高部11が設けられる。この最高部11は他方の平面３を上向きとして一方の立ち上がり部４を調理台などに設置してトレー本体１を水平な面に置いたときに最も高い位置となる箇所である。そして、他方の平面３には、一方の縁部である最高部11以外の総ての縁部１Ａ，１Ｂ，１Ｃ，１Ｄ、すなわち最高部11のある前側の縁部１の箇所、他の縁部１Ｂ，１Ｃ，１Ｄより、すなわち左右両側の縁部１Ｂ，１Ｃ及び後側の縁部１Ｄから最高部11に向けて次第に高くなるように傾斜して他方の傾斜面３´が形成されている。そして、一方の平面２の第一の傾斜角度Ａは、他方の平面３の第二の傾斜角度Ｂと同じ角度に形成されている。尚、この第一の傾斜角度Ａと第二の傾斜角度Ｂは水平面を基準として仰角で示しており、これらの角度は１度以上〜１０度以下であり、１度未満では水が自重で流れ出ることができにくく、角度が１０度を越えると面２、３に水切り籠や食器などを載置したときこれらの安定感にかけてしまう。特に水切り籠や水洗した食器のような場合には、角度は３度以上〜５度以下が好ましく、特に３度程度が外見などからも最も適している。
【００２８】
さらに、他方の平面３に山線部12が設けられる。この山線部12は峰状に高くなって平面を線状に配置されるものであって、左右一対に設けられるもので、その第二の一端1１Ａを最高部11に接続すると共に、第二の他端1１Ｂを最高部11が対向する第二の角隅部13に接続している。そして、左側縁部１Ｂ側から左側の山線部12との間においては、最高部11に向けて次第に高く傾斜している。右側縁部１Ｃから右側の山線部12においても同様である。
【００２９】
このようにして、そして、一方の平面２（一方の傾斜面２´）の第一の傾斜角度Ａは、他方の平面３（他方の傾斜面３´）の第二の傾斜角度Ｂと同じ角度に形成されており、この結果、一方の平面２と他方の平面３との間の厚みＣは総ての箇所で同じ長さに形成されている。
【００３０】
次に前記構成についてその作用を説明する。図１のように一方の平面２を上向きとしてトレーを水平に置くと、他方の立ち上がり部５が調理台に載置され、そして一方の平面２上に水切り籠や水洗した食器類（いずれも図示せず）を載置し、そして水切りされた水滴は一方の平面２に滴下していったん溜まる。このいったん溜まった一方の平面２の左右にある水は水流れ線Ｄに示すように谷線部８方向へ流れ、そして谷線部８の傾斜に沿って排水部７へ流れ、また左右一対の谷線部８間の水は傾斜に沿って正面に向かって流れて排水部７へ流れ、そして排水部７に合流したこれらの水は排水案内部10で合流してシンク等の外部に排水される。この排水の際、外側に突設した排水案内部10を介して排水されるので、この突設した排水案内部10により排水の水切りを良好に行うことができる。
【００３１】
一方、図２のように他方の平面３を上向きとしてトレーを水平に置くと、一方の立ち上がり部４が調理台に載置され、そして他方の平面３上に水切り籠や水洗した食器類を載置し、そして水切りされた水滴は水流れ線Ｅに示すように他方の平面３に滴下していったん溜まる。このいったん溜まった他方の平面３の左右にある水は山線部12方向へ流れ、そして山線部12の傾斜に沿って他方の立ち上がり部５の内側へ流れ、また左右一対の山線部12間の水は傾斜に沿って他方の立ち上がり部５に向かって流れてそのうち側に溜まり、最高部11が輪から排水されることはない。
【００３２】
以上のように、板状をなしたトレー本体１と、このトレー本体１の表裏面の一方の平面２及び他方の平面３の縁部１Ａ，１Ｂ，１Ｃ，１Ｄにそれぞれ外側に立ち上がる一方及び他方の立ち上がり部４，５と、前記トレー本体１の前記縁部１Ａに設けられ一方の平面２を上向きとしてトレー本体１が水平にあるとき最低の位置に形成される最低部６と、この最低部６に連通して排水部７と、一方の平面２に形成され最低部６以外の他の縁部１Ａ，１Ｂ，１Ｃ，１Ｄ側より最低部６に向けて傾斜する一方の傾斜面２´と、トレー本体１の縁の一部１Ａ，１Ｂ，１Ｃ，１Ｄに設けられ他方の平面３を上向きとしてトレー本体１が水平にあるとき最高の位置に形成される最高部と、他方の平面３に形成され最高部以外の他の縁部側１Ａ，１Ｂ，１Ｃ，１Ｄより最高部に
向けて傾斜する他方の傾斜面３´とを有することで、一方の平面２に水切りかごなどを載置すれば排水でき、他方の平面３に水切りかごなどを載置すればトレーに水を溜めることができ、１枚のトレーで排水する、水を溜めるという２種類の使用方法が可能になる。
【００３３】
また、一方の傾斜面２´は最低部６以外の他の総ての縁部１Ａ，１Ｂ，１Ｃ，１Ｄ側より最低部６に向けて傾斜していることで、すべての水を最低部６、ひいては排水部７方向に流すことができ、また他方の傾斜面３´は最高部11以外の他の総ての縁部１Ａ，１Ｂ，１Ｃ，１Ｄ側より最高部11に向けて傾斜していることで、すべての水を最高部11以外の方向に流すことができる。
【００３４】
さらに、前記実施例では、板状をなしたトレー本体１と、このトレー本体１の表裏面の一方の平面２及び他方の平面３の縁にそれぞれ外側に立ち上がる一方の立ち上がり部４及び他方の立ち上がり部５と、一方の平面２の前側縁１Ａに設けられ一方の平面２を上向きとしてトレー本体１が水平にあるとき最低の位置に形成される一方の平面２の最低部６と、この最低部６に連通して一方の立ち上がり部４に設けた排水部７と、一方の平面２に形成され一方の縁以外の他の縁側より最低部６に向けて次第に傾斜する一方の傾斜面２´と、最低部６の裏側に設けられ他方の平面３を上向きとしてトレー本体１が水平にあるとき最高の位置に形成される前記他方の平面３の最高部11と、他方の平面３に形成され前記一方の縁以外の他の縁側より最高部11に向けて次第に傾斜する他方の傾斜面３´とを有することにより、一方の平面２に水切りかごなどを載置すれば排水でき、他方の平面３に水切りかごなどを載置すればトレーに水を溜めることができ、１枚のトレーで排水する、水を溜めるという２種類の使用方法が可能になる。
【００３５】
また、前記実施例では、一方の平面２の第一の傾斜角度Ａと、前記他方の平面３の第二の傾斜角度Ｂとが同じであることにより、トレー本体１の厚みＣをいかなる箇所でも同じに形成することができ、トレー本体１の強度を確保できる。
【００３６】
さらに、前記実施例では、前記最低部６は前側の縁１Ａの中央部に設けられ、この最低部６に第一の一端８Ａを接続するようにほぼ放射状に谷線部８が一方の平面２に形成されると共に、一方の平面２は谷線部８に向けて次第に低く傾斜し、最高部11は前側の縁１Ａの中央部に設けられ、この最高部11に第二の一端1１Ａを接続するようにほぼ放射状に山線部12が他方の平面３に形成されると共に、他方の平面３は山線部12に向けて次第に高く傾斜していることにより、一方の平面２においては、最低部６に向かっての傾斜の他に、谷線部８へ向けての傾斜によっても水が両方の傾斜に沿って確実に排水でき、さらに他方の平面３においては、最高部11からの傾斜の他に、山線部12からの傾斜によっても水が他方の立ち上がり部５の内側に流れて溜めることができる。
【００３７】
また、前記実施例では、前記トレー本体１は平面が矩形であって、谷線部８の第一の他端８Ｂは最低部６が対向する前記一方の平面２の第一の角隅部９に接続して、この谷線部８の左右外側にそれぞれ配置される一方の平面２の部位が谷線部８側に次第に低く傾斜し、山線部12の第二の他端1１Ｂは最高部11が対向する他方の平面３の第二の角隅部13に接続して、この山線部12の左右外側にそれぞれ配置される他方の平面３の部位が山線部12側に次第に高く傾斜したことによって、一方の平面２においては、一方の平面２の左右から谷線部８を介して排水部７に向かって水が直接流れ、一方の平面２における水切りが良好となる。さらに他方の平面３においては、他方の平面３の左右から山線部12を介して他方の立ち上がり部５の内側に向かって水が直接流れ、他方の平面３における水切りが良好となる。
【００３８】
しかも、前記実施例では、排水部７の外側に、最低部６に底部10Ａを接続した排水案内部10を突設したことにより、排水案内部10によって排水の水切りを良好に行うことができる。
【実施例２】
【００３９】
図６は実施例２を示しており、前記実施例１と同一部分には同一符号を付し、その詳細な説明を省略する。実施例２においては、排水案内部10を横向の孔によって形成したものである。
【産業上の利用可能性】
【００４０】
以上のように本発明にかかるトレーは、各種の用途に適用できる。
【符号の説明】
【００４１】
１  トレー本体
２  一方の平面
２´  一方の傾斜面
１Ａ  一方の縁部（縁）
１Ｂ，１Ｃ，１Ｄ  他方の縁部（縁）
３  他方の平面
３´  他方の傾斜面
４  一方の立ち上がり部
５  他方の立ち上がり部
６  最低部
７  排水部
８  谷線部
８Ａ  第一の一端
８Ｂ  第一の他端
10  排水案内部
10Ａ  底部
10´  排水案内部
11  最高部
12  山線部
1１Ａ  第二の一端
1１Ｂ  第二の他端
Ａ  第一の傾斜角度
Ｂ  第二の傾斜角度
【図１】
2010220881.tif 000003
【図２】
2010220881.tif 000004
【図３】
2010220881.tif 000005
【図４】
2010220881.tif 000006
【図５】
2010220881.tif 000007
【図６】
2010220881.tif 000008